【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
入力信号を複数のサブバンドに分割し、低域側の複数のサブバンドで構成される低域サブバンド信号と、高域側の複数のサブバンドで構成される高域サブバンド信号とを生成するサブバンド分割手段と、
前記サブバンド分割手段によって生成された前記低域サブバンド信号と前記入力信号の少なくともいずれか一方を用いて、前記入力信号の特徴を表す特徴量を算出する特徴量算出手段と、
前記特徴量算出手段によって算出された前記特徴量に基づいて、前記高域サブバンド信号の擬似的なパワーである擬似高域サブバンドパワーを算出する疑似高域サブバンドパワー算出手段と、
前記サブバンド分割手段によって生成された前記高域サブバンド信号から、前記高域サブバンド信号のパワーである高域サブバンドパワーを算出し、前記擬似高域サブバンドパワー算出手段によって算出された前記擬似高域サブバンドパワーとの差分である擬似高域サブバンドパワー差分を算出する擬似高域サブバンドパワー差分算出手段と、
前記擬似高域サブバンドパワー差分算出手段によって算出された前記擬似高域サブバンドパワー差分を符号化し、高域符号化データを生成する高域符号化手段と、
前記入力信号の低域の信号である低域信号を符号化し、低域符号化データを生成する低域符号化手段と、
前記低域符号化手段によって生成された前記低域符号化データと前記高域符号化手段によって生成された前記高域符号化データとを多重化し出力符号列を得る多重化手段と
を備える符号化装置。
【請求項２】
前記低域符号化手段によって生成された前記低域符号化データを復号し、低域信号を生成する低域復号手段をさらに備え、
前記サブバンド分割手段は、前記低域復号手段によって生成された前記低域信号から、前記低域サブバンド信号を生成する
請求項１に記載の符号化装置。
【請求項３】
前記高域符号化手段は、前記擬似高域サブバンドパワー差分と、予め設定した複数の擬似高域サブバンドパワー差分空間での代表ベクトルもしくは代表値との類似度を算出し、類似度が最大となる代表ベクトルもしくは代表値と対応するインデックスを、前記高域符号化データとして生成する
請求項１に記載の符号化装置。
【請求項４】
前記擬似高域サブバンドパワー差分算出手段は、前記擬似高域サブバンドパワーを算出するための複数の係数ごとに、各サブバンドの前記擬似高域サブバンドパワーと前記高域サブバンドパワーとに基づいて評価値を算出し、
前記高域符号化手段は、最も評価の高い前記評価値の前記係数を示すインデックスを、前記高域符号化データとして生成する
請求項１に記載の符号化装置。
【請求項５】
前記擬似高域サブバンドパワー差分算出手段は、各サブバンドの前記擬似高域サブバンドパワー差分の二乗和、前記サブバンドの前記擬似高域サブバンドパワー差分の絶対値の最大値、または各サブバンドの前記擬似高域サブバンドパワー差分の平均値の少なくとも何れかに基づいて、前記評価値を算出する
請求項４に記載の符号化装置。
【請求項６】
前記擬似高域サブバンドパワー差分算出手段は、異なるフレームの前記擬似高域サブバンドパワーの差分に基づいて、前記評価値を算出する
請求項５に記載の符号化装置。
【請求項７】
前記擬似高域サブバンドパワー差分算出手段は、サブバンドごとの重みであって、低域側のサブバンドほどより大きくなる重みが乗算された前記擬似高域サブバンドパワー差分を用いて、前記評価値を算出する
請求項５に記載の符号化装置。
【請求項８】
前記擬似高域サブバンドパワー差分算出手段は、サブバンドごとの重みであって、前記高域サブバンドパワーが大きいサブバンドほどより大きくなる重みが乗算された前記擬似高域サブバンドパワー差分を用いて、前記評価値を算出する
請求項５に記載の符号化装置。
【請求項９】
入力信号を複数のサブバンドに分割し、低域側の複数のサブバンドで構成される低域サブバンド信号と、高域側の複数のサブバンドで構成される高域サブバンド信号とを生成するサブバンド分割ステップと、
前記サブバンド分割ステップの処理によって生成された前記低域サブバンド信号と前記入力信号の少なくともいずれか一方を用いて、前記入力信号の特徴を表す特徴量を算出する特徴量算出ステップと、
前記特徴量算出ステップの処理によって算出された前記特徴量に基づいて、前記高域サブバンド信号の擬似的なパワーである擬似高域サブバンドパワーを算出する疑似高域サブバンドパワー算出ステップと、
前記サブバンド分割ステップの処理によって生成された前記高域サブバンド信号から、前記高域サブバンド信号のパワーである高域サブバンドパワーを算出し、前記擬似高域サブバンドパワー算出ステップの処理によって算出された前記擬似高域サブバンドパワーとの差分である擬似高域サブバンドパワー差分を算出する擬似高域サブバンドパワー差分算出ステップと、
前記擬似高域サブバンドパワー差分算出ステップの処理によって算出された前記擬似高域サブバンドパワー差分を符号化し、高域符号化データを生成する高域符号化ステップと、
前記入力信号の低域の信号である低域信号を符号化し、低域符号化データを生成する低域符号化ステップと、
前記低域符号化ステップの処理によって生成された前記低域符号化データと前記高域符号化ステップの処理によって生成された前記高域符号化データとを多重化し出力符号列を得る多重化ステップと
を含む符号化方法。
【請求項１０】
入力信号を複数のサブバンドに分割し、低域側の複数のサブバンドで構成される低域サブバンド信号と、高域側の複数のサブバンドで構成される高域サブバンド信号とを生成するサブバンド分割ステップと、
前記サブバンド分割ステップの処理によって生成された前記低域サブバンド信号と前記入力信号の少なくともいずれか一方を用いて、前記入力信号の特徴を表す特徴量を算出する特徴量算出ステップと、
前記特徴量算出ステップの処理によって算出された前記特徴量に基づいて、前記高域サブバンド信号の擬似的なパワーである擬似高域サブバンドパワーを算出する疑似高域サブバンドパワー算出ステップと、
前記サブバンド分割ステップの処理によって生成された前記高域サブバンド信号から、前記高域サブバンド信号のパワーである高域サブバンドパワーを算出し、前記擬似高域サブバンドパワー算出ステップの処理によって算出された前記擬似高域サブバンドパワーとの差分である擬似高域サブバンドパワー差分を算出する擬似高域サブバンドパワー差分算出ステップと、
前記擬似高域サブバンドパワー差分算出ステップの処理によって算出された前記擬似高域サブバンドパワー差分を符号化し、高域符号化データを生成する高域符号化ステップと、
前記入力信号の低域の信号である低域信号を符号化し、低域符号化データを生成する低域符号化ステップと、
前記低域符号化ステップの処理によって生成された前記低域符号化データと前記高域符号化ステップの処理によって生成された前記高域符号化データとを多重化し出力符号列を得る多重化ステップと
を含む処理をコンピュータに実行させるプログラム。
【請求項１１】
入力された符号化データを、少なくとも低域符号化データと、インデックスとに非多重化する非多重化手段と、
前記低域符号化データを復号して、低域信号を生成する低域復号手段と、
前記低域信号の帯域を複数の低域サブバンドに分割し、前記低域サブバンドごとの低域サブバンド信号を生成するサブバンド分割手段と、
前記インデックスと、前記低域サブバンド信号とに基づいて、前記高域信号を生成する生成手段と
を備える復号装置。
【請求項１２】
前記インデックスは、入力信号を符号化して前記符号化データを出力する装置において、符号化前の前記入力信号と、前記入力信号から推定された前記高域信号とに基づいて求められたものである
請求項１１に記載の復号装置。
【請求項１３】
前記インデックスは、符号化されていない
請求項１１に記載の復号装置。
【請求項１４】
前記インデックスは、前記高域信号の生成に用いる推定係数を示す情報である
請求項１１に記載の復号装置。
【請求項１５】
前記生成手段は、複数の前記推定係数のうち、前記インデックスにより示される前記推定係数に基づいて、前記高域信号を生成する
請求項１４に記載の復号装置。
【請求項１６】
前記生成手段は、
前記低域サブバンド信号と前記低域信号の少なくともいずれか一方を用いて、前記符号化データの特徴を表す特徴量を算出する特徴量算出手段と、
前記高域信号の帯域を構成する複数の高域サブバンドのそれぞれについて、前記特徴量と前記推定係数とを用いた演算により、前記高域サブバンドの高域サブバンド信号の高域サブバンドパワーを算出する高域サブバンドパワー算出手段と、
前記高域サブバンドパワーと、前記低域サブバンド信号とに基づいて、前記高域信号を生成する高域信号生成手段と
を備える請求項１４に記載の復号装置。
【請求項１７】
前記高域サブバンドパワー算出手段は、複数の前記特徴量を、前記高域サブバンドごとに用意された前記推定係数を用いて線形結合することにより、前記高域サブバンドの前記高域サブバンドパワーを算出する
請求項１６に記載の復号装置。
【請求項１８】
前記特徴量算出手段は、前記特徴量として、前記低域サブバンドごとに前記低域サブバンド信号の低域サブバンドパワーを算出する
請求項１７に記載の復号装置。
【請求項１９】
前記インデックスは、複数の前記推定係数のうち、符号化前の入力信号の前記高域信号から得られた前記高域サブバンドパワーと、前記推定係数に基づいて生成された前記高域サブバンドパワーとの比較の結果、前記符号化前の入力信号の前記高域信号から得られた前記高域サブバンドパワーに最も近い前記高域サブバンドパワーが得られる前記推定係数を示す情報である
請求項１６に記載の復号装置。
【請求項２０】
前記インデックスは、前記高域サブバンドごとに求められた、前記符号化前の入力信号の前記高域信号から得られた前記高域サブバンドパワーと、前記推定係数に基づいて生成された前記高域サブバンドパワーとの差分の二乗和が最小となる前記推定係数を示す情報である
請求項１９に記載の復号装置。
【請求項２１】
前記符号化データには、前記符号化前の入力信号の前記高域信号から得られた前記高域サブバンドパワーと、前記推定係数に基づいて生成された前記高域サブバンドパワーとの差分を示す差分情報がさらに含まれている
請求項１９に記載の復号装置。
【請求項２２】
前記差分情報は符号化されている
請求項２１に記載の復号装置。
【請求項２３】
前記高域サブバンドパワー算出手段は、前記特徴量と前記推定係数とを用いた演算で得られた前記高域サブバンドパワーに、前記符号化データに含まれる前記差分情報により示される前記差分を加算し、
前記高域信号生成手段は、前記差分が加算された前記高域サブバンドパワーと、前記低域サブバンド信号とに基づいて、前記高域信号を生成する
請求項２１に記載の復号装置。
【請求項２４】
前記推定係数は、前記特徴量を説明変数とし、前記高域サブバンドパワーを被説明変数とした、最小二乗法を用いた回帰分析により求められる
請求項１６に記載の復号装置。
【請求項２５】
前記インデックスは、符号化前の入力信号の前記高域信号から得られた前記高域サブバンドパワーと、前記推定係数に基づいて生成された前記高域サブバンドパワーとの差分を要素とし、前記高域サブバンドごとの前記差分からなる差分ベクトルを示す情報であり、
前記推定係数ごとに予め求められた、各前記高域サブバンドの前記差分を要素とする前記差分の特徴空間における代表ベクトルまたは代表値と、前記インデックスにより示される前記差分ベクトルとの距離を求め、複数の前記推定係数のうち、前記距離が最短となる前記代表ベクトルまたは前記代表値の前記推定係数を、前記高域サブバンドパワー算出手段に供給する係数出力手段をさらに備える
請求項１６に記載の復号装置。
【請求項２６】
前記インデックスは、複数の前記推定係数のうち、符号化前の入力信号の前記高域信号と、前記推定係数に基づいて生成された前記高域信号との比較の結果、前記符号化前の入力信号の前記高域信号に最も近い前記高域信号が得られる前記推定係数を示す情報である
請求項１４に記載の復号装置。
【請求項２７】
前記推定係数は、回帰分析により求められる
請求項１４に記載の復号装置。
【請求項２８】
前記生成手段は、符号化された前記インデックスを復号して得られた情報に基づいて、前記高域信号を生成する
請求項１１に記載の復号装置。
【請求項２９】
前記インデックスは、エントロピー符号化されている
請求項２８に記載の復号装置。
【請求項３０】
入力された符号化データを、少なくとも低域符号化データと、インデックスとに非多重化する非多重化ステップと、
前記低域符号化データを復号して、低域信号を生成する低域復号ステップと、
前記低域信号の帯域を複数の低域サブバンドに分割し、前記低域サブバンドごとの低域サブバンド信号を生成するサブバンド分割ステップと、
前記インデックスと、前記低域サブバンド信号とに基づいて、前記高域信号を生成する生成ステップと
を含む復号方法。
【請求項３１】
入力された符号化データを、少なくとも低域符号化データと、インデックスとに非多重化する非多重化ステップと、
前記低域符号化データを復号して、低域信号を生成する低域復号ステップと、
前記低域信号の帯域を複数の低域サブバンドに分割し、前記低域サブバンドごとの低域サブバンド信号を生成するサブバンド分割ステップと、
前記インデックスと、前記低域サブバンド信号とに基づいて、前記高域信号を生成する生成ステップと
を含む処理をコンピュータに実行させるプログラム。
【請求項３２】
入力された符号化データを、低域符号化データと、高域信号の生成に用いる推定係数を得るためのインデックスとに非多重化する非多重化手段と、
前記低域符号化データを復号して、低域信号を生成する低域復号手段と、
前記低域信号の帯域を複数の低域サブバンドに分割し、前記低域サブバンドごとの低域サブバンド信号を生成するサブバンド分割手段と、
前記低域サブバンド信号と前記低域信号の少なくともいずれか一方を用いて、前記符号化データの特徴を表す特徴量を算出する特徴量算出手段と、
前記高域信号の帯域を構成する複数の高域サブバンドのそれぞれについて、予め用意された複数の前記推定係数のうちの、前記インデックスにより特定される前記推定係数を前記特徴量に乗算し、前記推定係数の乗算された前記特徴量の和を求めることで、前記高域サブバンドの高域サブバンド信号の高域サブバンドパワーを算出する高域サブバンドパワー算出手段と、
前記高域サブバンドパワーと、前記低域サブバンド信号とを用いて、前記高域信号を生成する高域信号生成手段と
を備える復号装置。
【請求項３３】
前記特徴量算出手段は、前記特徴量として、前記低域サブバンド信号の低域サブバンドパワーを前記低域サブバンドごとに算出する
請求項３２に記載の復号装置。
【請求項３４】
前記インデックスは、前記複数の前記推定係数のうち、前記高域信号の真値から得られた前記高域サブバンドパワーと、前記推定係数を用いて生成された前記高域サブバンドパワーとの差分であって、前記高域サブバンドごとに求められた差分の二乗和が最小となる前記推定係数を得るための情報である
請求項３３に記載の復号装置。
【請求項３５】
前記インデックスには、前記真値から得られた前記高域サブバンドパワーと、前記推定係数を用いて生成された前記高域サブバンドパワーとの差分を示す差分情報がさらに含まれ、
前記高域サブバンドパワー算出手段は、前記推定係数の乗算された前記特徴量の和を求めて得られた前記高域サブバンドパワーに、前記インデックスに含まれる前記差分情報により示される前記差分をさらに加算し、
前記高域信号生成手段は、前記高域サブバンドパワー算出手段により前記差分が加算された前記高域サブバンドパワーと、前記低域サブバンド信号とを用いて、前記高域信号を生成する
請求項３４に記載の復号装置。
【請求項３６】
前記インデックスは、前記推定係数を示す情報である
請求項３２に記載の復号装置。
【請求項３７】
前記インデックスは、前記推定係数を示す情報がエントロピー符号化されて得られた情報であり、
前記高域サブバンドパワー算出手段は、前記インデックスを復号して得られた情報により示される前記推定係数を用いて、前記高域サブバンドパワーを算出する
請求項３２に記載の復号装置。
【請求項３８】
前記複数の前記推定係数は、前記特徴量を説明変数とし、前記高域サブバンドパワーを被説明変数とした、最小二乗法を用いた回帰分析により予め求められている
請求項３２に記載の復号装置。
【請求項３９】
前記インデックスは、前記高域信号の真値から得られた前記高域サブバンドパワーと、前記推定係数を用いて生成された前記高域サブバンドパワーとの差分を要素とし、前記高域サブバンドごとの前記差分からなる差分ベクトルを示す情報であり、
前記推定係数ごとに予め求められた、各前記高域サブバンドの前記差分を要素とする前記差分の特徴空間における代表ベクトルまたは代表値と、前記インデックスにより示される前記差分ベクトルとの距離を求め、前記複数の前記推定係数のうち、前記距離が最短となる前記代表ベクトルまたは前記代表値の前記推定係数を、前記高域サブバンドパワー算出手段に供給する係数出力手段をさらに備える
請求項３２に記載の復号装置。
【請求項４０】
入力された符号化データを、低域符号化データと、高域信号の生成に用いる推定係数を得るためのインデックスとに非多重化する非多重化ステップと、
前記低域符号化データを復号して、低域信号を生成する低域復号ステップと、
前記低域信号の帯域を複数の低域サブバンドに分割し、前記低域サブバンドごとの低域サブバンド信号を生成するサブバンド分割ステップと、
前記低域サブバンド信号と前記低域信号の少なくともいずれか一方を用いて、前記符号化データの特徴を表す特徴量を算出する特徴量算出ステップと、
前記高域信号の帯域を構成する複数の高域サブバンドのそれぞれについて、予め用意された複数の前記推定係数のうちの、前記インデックスにより特定される前記推定係数を前記特徴量に乗算し、前記推定係数の乗算された前記特徴量の和を求めることで、前記高域サブバンドの高域サブバンド信号の高域サブバンドパワーを算出する高域サブバンドパワー算出ステップと、
前記高域サブバンドパワーと、前記低域サブバンド信号とを用いて、前記高域信号を生成する高域信号生成ステップと
を含む復号方法。
【請求項４１】
入力された符号化データを、低域符号化データと、高域信号の生成に用いる推定係数を得るためのインデックスとに非多重化する非多重化ステップと、
前記低域符号化データを復号して、低域信号を生成する低域復号ステップと、
前記低域信号の帯域を複数の低域サブバンドに分割し、前記低域サブバンドごとの低域サブバンド信号を生成するサブバンド分割ステップと、
前記低域サブバンド信号と前記低域信号の少なくともいずれか一方を用いて、前記符号化データの特徴を表す特徴量を算出する特徴量算出ステップと、
前記高域信号の帯域を構成する複数の高域サブバンドのそれぞれについて、予め用意された複数の前記推定係数のうちの、前記インデックスにより特定される前記推定係数を前記特徴量に乗算し、前記推定係数の乗算された前記特徴量の和を求めることで、前記高域サブバンドの高域サブバンド信号の高域サブバンドパワーを算出する高域サブバンドパワー算出ステップと、
前記高域サブバンドパワーと、前記低域サブバンド信号とを用いて、前記高域信号を生成する高域信号生成ステップと
を含む処理をコンピュータに実行させるプログラム。
【手続補正２】
【補正対象書類名】明細書
【補正対象項目名】発明の名称
【補正方法】変更
【補正の内容】
【発明の名称】符号化装置および方法、復号装置および方法、並びにプログラム
【手続補正３】
【補正対象書類名】明細書
【補正対象項目名】０００１
【補正方法】変更
【補正の内容】
【０００１】
本発明は、符号化装置および方法、復号装置および方法、並びにプログラムに関し、特に、周波数帯域の拡大により、音楽信号をより高音質に再生できるようにする符号化装置および方法、復号装置および方法、並びにプログラムに関する。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】変更
【補正の内容】
【００３９】
本発明の第１の側面の符号化装置は、入力信号を複数のサブバンドに分割し、低域側の複数のサブバンドで構成される低域サブバンド信号と、高域側の複数のサブバンドで構成される高域サブバンド信号とを生成するサブバンド分割手段と、前記サブバンド分割手段によって生成された前記低域サブバンド信号と前記入力信号の少なくともいずれか一方を用いて、前記入力信号の特徴を表す特徴量を算出する特徴量算出手段と、前記特徴量算出手段によって算出された前記特徴量に基づいて、前記高域サブバンド信号の擬似的なパワーである擬似高域サブバンドパワーを算出する疑似高域サブバンドパワー算出手段と、前記サブバンド分割手段によって生成された前記高域サブバンド信号から、前記高域サブバンド信号のパワーである高域サブバンドパワーを算出し、前記擬似高域サブバンドパワー算出手段によって算出された前記擬似高域サブバンドパワーとの差分である擬似高域サブバンドパワー差分を算出する擬似高域サブバンドパワー差分算出手段と、前記擬似高域サブバンドパワー差分算出手段によって算出された前記擬似高域サブバンドパワー差分を符号化し、高域符号化データを生成する高域符号化手段と、前記入力信号の低域の信号である低域信号を符号化し、低域符号化データを生成する低域符号化手段と、前記低域符号化手段によって生成された前記低域符号化データと前記高域符号化手段によって生成された前記高域符号化データとを多重化し出力符号列を得る多重化手段とを備える。
【手続補正２１】
【補正対象書類名】明細書
【補正対象項目名】００４７
【補正方法】変更
【補正の内容】
【００４７】
本発明の第１の側面の符号化方法は、入力信号を複数のサブバンドに分割し、低域側の複数のサブバンドで構成される低域サブバンド信号と、高域側の複数のサブバンドで構成される高域サブバンド信号とを生成するサブバンド分割ステップと、前記サブバンド分割ステップの処理によって生成された前記低域サブバンド信号と前記入力信号の少なくともいずれか一方を用いて、前記入力信号の特徴を表す特徴量を算出する特徴量算出ステップと、前記特徴量算出ステップの処理によって算出された前記特徴量に基づいて、前記高域サブバンド信号の擬似的なパワーである擬似高域サブバンドパワーを算出する疑似高域サブバンドパワー算出ステップと、前記サブバンド分割ステップの処理によって生成された前記高域サブバンド信号から、前記高域サブバンド信号のパワーである高域サブバンドパワーを算出し、前記擬似高域サブバンドパワー算出ステップの処理によって算出された前記擬似高域サブバンドパワーとの差分である擬似高域サブバンドパワー差分を算出する擬似高域サブバンドパワー差分算出ステップと、前記擬似高域サブバンドパワー差分算出ステップの処理によって算出された前記擬似高域サブバンドパワー差分を符号化し、高域符号化データを生成する高域符号化ステップと、前記入力信号の低域の信号である低域信号を符号化し、低域符号化データを生成する低域符号化ステップと、前記低域符号化ステップの処理によって生成された前記低域符号化データと前記高域符号化ステップの処理によって生成された前記高域符号化データとを多重化し出力符号列を得る多重化ステップとを含む。
【手続補正２２】
【補正対象書類名】明細書
【補正対象項目名】００４８
【補正方法】変更
【補正の内容】
【００４８】
本発明の第１の側面のプログラムは、入力信号を複数のサブバンドに分割し、低域側の複数のサブバンドで構成される低域サブバンド信号と、高域側の複数のサブバンドで構成される高域サブバンド信号とを生成するサブバンド分割ステップと、前記サブバンド分割ステップの処理によって生成された前記低域サブバンド信号と前記入力信号の少なくともいずれか一方を用いて、前記入力信号の特徴を表す特徴量を算出する特徴量算出ステップと、前記特徴量算出ステップの処理によって算出された前記特徴量に基づいて、前記高域サブバンド信号の擬似的なパワーである擬似高域サブバンドパワーを算出する疑似高域サブバンドパワー算出ステップと、前記サブバンド分割ステップの処理によって生成された前記高域サブバンド信号から、前記高域サブバンド信号のパワーである高域サブバンドパワーを算出し、前記擬似高域サブバンドパワー算出ステップの処理によって算出された前記擬似高域サブバンドパワーとの差分である擬似高域サブバンドパワー差分を算出する擬似高域サブバンドパワー差分算出ステップと、前記擬似高域サブバンドパワー差分算出ステップの処理によって算出された前記擬似高域サブバンドパワー差分を符号化し、高域符号化データを生成する高域符号化ステップと、前記入力信号の低域の信号である低域信号を符号化し、低域符号化データを生成する低域符号化ステップと、前記低域符号化ステップの処理によって生成された前記低域符号化データと前記高域符号化ステップの処理によって生成された前記高域符号化データとを多重化し出力符号列を得る多重化ステップとを含む処理をコンピュータに実行させる。
【手続補正２３】
【補正対象書類名】明細書
【補正対象項目名】００４９
【補正方法】変更
【補正の内容】
【００４９】
本発明の第１の側面においては、入力信号が複数のサブバンドに分割され、低域側の複数のサブバンドで構成される低域サブバンド信号と、高域側の複数のサブバンドで構成される高域サブバンド信号とが生成され、生成された低域サブバンド信号と入力信号の少なくともいずれか一方を用いて、入力信号の特徴を表す特徴量が算出され、算出された特徴量に基づいて、高域サブバンド信号の擬似的なパワーである擬似高域サブバンドパワーが算出され、生成された高域サブバンド信号から、高域サブバンド信号のパワーである高域サブバンドパワーが算出され、算出された擬似高域サブバンドパワーとの差分である擬似高域サブバンドパワー差分が算出され、算出された擬似高域サブバンドパワー差分が符号化され、高域符号化データが生成され、入力信号の低域の信号である低域信号が符号化され、低域符号化データが生成され、生成された低域符号化データと高域符号化手段によって生成された高域符号化データとが多重化され出力符号列が得られる。
【手続補正２４】
【補正対象書類名】明細書
【補正対象項目名】００５０
【補正方法】変更
【補正の内容】
【００５０】
本発明の第２の側面の復号装置は、入力された符号化データを、少なくとも低域符号化データと、インデックスとに非多重化する非多重化手段と、前記低域符号化データを復号して、低域信号を生成する低域復号手段と、前記低域信号の帯域を複数の低域サブバンドに分割し、前記低域サブバンドごとの低域サブバンド信号を生成するサブバンド分割手段と、前記インデックスと、前記低域サブバンド信号とに基づいて、前記高域信号を生成する生成手段とを備える。
【手続補正２５】
【補正対象書類名】明細書
【補正対象項目名】００６９
【補正方法】変更
【補正の内容】
【００６９】
本発明の第２の側面の復号方法またはプログラムは、入力された符号化データを、少なくとも低域符号化データと、インデックスとに非多重化する非多重化ステップと、前記低域符号化データを復号して、低域信号を生成する低域復号ステップと、前記低域信号の帯域を複数の低域サブバンドに分割し、前記低域サブバンドごとの低域サブバンド信号を生成するサブバンド分割ステップと、前記インデックスと、前記低域サブバンド信号とに基づいて、前記高域信号を生成する生成ステップとを含む。
【手続補正２６】
【補正対象書類名】明細書
【補正対象項目名】００７０
【補正方法】変更
【補正の内容】
【００７０】
本発明の第２の側面においては、入力された符号化データが、少なくとも低域符号化データと、インデックスとに非多重化され、前記低域符号化データが復号されて、低域信号が生成され、前記低域信号の帯域が複数の低域サブバンドに分割され、前記低域サブバンドごとの低域サブバンド信号が生成され、前記インデックスと、前記低域サブバンド信号とに基づいて、前記高域信号が生成される。
【手続補正２７】
【補正対象書類名】明細書
【補正対象項目名】００７１
【補正方法】変更
【補正の内容】
【００７１】
本発明の第３の側面の復号装置は、入力された符号化データを、低域符号化データと、高域信号の生成に用いる推定係数を得るためのインデックスとに非多重化する非多重化手段と、前記低域符号化データを復号して、低域信号を生成する低域復号手段と、前記低域信号の帯域を複数の低域サブバンドに分割し、前記低域サブバンドごとの低域サブバンド信号を生成するサブバンド分割手段と、前記低域サブバンド信号と前記低域信号の少なくともいずれか一方を用いて、前記符号化データの特徴を表す特徴量を算出する特徴量算出手段と、前記高域信号の帯域を構成する複数の高域サブバンドのそれぞれについて、予め用意された複数の前記推定係数のうちの、前記インデックスにより特定される前記推定係数を前記特徴量に乗算し、前記推定係数の乗算された前記特徴量の和を求めることで、前記高域サブバンドの高域サブバンド信号の高域サブバンドパワーを算出する高域サブバンドパワー算出手段と、前記高域サブバンドパワーと、前記低域サブバンド信号とを用いて、前記高域信号を生成する高域信号生成手段とを備える。
【手続補正２８】
【補正対象書類名】明細書
【補正対象項目名】００７９
【補正方法】変更
【補正の内容】
【００７９】
本発明の第３の側面の復号方法またはプログラムは、入力された符号化データを、低域符号化データと、高域信号の生成に用いる推定係数を得るためのインデックスとに非多重化する非多重化ステップと、前記低域符号化データを復号して、低域信号を生成する低域復号ステップと、前記低域信号の帯域を複数の低域サブバンドに分割し、前記低域サブバンドごとの低域サブバンド信号を生成するサブバンド分割ステップと、前記低域サブバンド信号と前記低域信号の少なくともいずれか一方を用いて、前記符号化データの特徴を表す特徴量を算出する特徴量算出ステップと、前記高域信号の帯域を構成する複数の高域サブバンドのそれぞれについて、予め用意された複数の前記推定係数のうちの、前記インデックスにより特定される前記推定係数を前記特徴量に乗算し、前記推定係数の乗算された前記特徴量の和を求めることで、前記高域サブバンドの高域サブバンド信号の高域サブバンドパワーを算出する高域サブバンドパワー算出ステップと、前記高域サブバンドパワーと、前記低域サブバンド信号とを用いて、前記高域信号を生成する高域信号生成ステップとを含む。
【手続補正２９】
【補正対象書類名】明細書
【補正対象項目名】００８０
【補正方法】変更
【補正の内容】
【００８０】
本発明の第３の側面においては、入力された符号化データが、低域符号化データと、高域信号の生成に用いる推定係数を得るためのインデックスとに非多重化され、前記低域符号化データが復号されて、低域信号が生成され、前記低域信号の帯域が複数の低域サブバンドに分割され、前記低域サブバンドごとの低域サブバンド信号が生成され、前記低域サブバンド信号と前記低域信号の少なくともいずれか一方を用いて、前記符号化データの特徴を表す特徴量が算出され、前記高域信号の帯域を構成する複数の高域サブバンドのそれぞれについて、予め用意された複数の前記推定係数のうちの、前記インデックスにより特定される前記推定係数が前記特徴量に乗算され、前記推定係数の乗算された前記特徴量の和を求めることで、前記高域サブバンドの高域サブバンド信号の高域サブバンドパワーが算出され、前記高域サブバンドパワーと、前記低域サブバンド信号とを用いて、前記高域信号が生成される。
【手続補正３０】
【補正対象書類名】明細書
【補正対象項目名】００８１
【補正方法】変更
【補正の内容】
【００８１】
本発明の第１乃至第３の側面によれば、周波数帯域の拡大により、音楽信号をより高音質に再生することができる。